(57)【要約】【課題】グランドピアノの直接音を効率的に演奏者へ到達させる。【解決手段】グランドピアノ用譜面台１０は、グランドピアノ２０の前框２２上に配置される譜面載置部１２と、譜面載置部１２の背面から延在する支持部１４と、支持部１４の先端に設けられ、かつ支持部１４をグランドピアノ２０内に位置するフレーム２４に固定する固定部１６と、を備える。【選択図】図１
2015036751.tif 000002
【特許請求の範囲】
【請求項１】
グランドピアノの前框上に配置される譜面載置部と、
前記譜面載置部の背面から延在する支持部と、
前記支持部の先端に設けられ、かつ前記支持部を前記グランドピアノ内に位置するフレームに固定する固定部と、
を備えるグランドピアノ用譜面台。
【請求項２】
請求項１に記載のグランドピアノ用譜面台において、
前記固定部は、前記フレームのうちの互いに異なる二つの面に対して当接するグランドピアノ用譜面台。
【請求項３】
請求項２に記載のグランドピアノ用譜面台において、
前記固定部は、前記フレームのうち、前記グランドピアノの屋根を閉めた状態において前屋根により覆われる領域に位置する部分に対して当接するグランドピアノ用譜面台。
【請求項４】
請求項２または３に記載のグランドピアノ用譜面台において、
前記固定部は、Ｌ字型またはＵ字型に屈曲した屈曲部を有しており、かつ前記屈曲部の内面において前記フレームと当接するグランドピアノ用譜面台。
【請求項５】
請求項４に記載のグランドピアノ用譜面台において、
前記固定部は、前記屈曲部の内面に設けられ、かつ弾性材料により構成される第１弾性部材を有しているグランドピアノ用譜面台。
【請求項６】
請求項１〜５いずれか一項に記載のグランドピアノ用譜面台において、
前記固定部は、前記支持部の先端部分における延在軸を回転軸として回動可能となるように設けられているグランドピアノ用譜面台。
【請求項７】
請求項１〜６いずれか一項に記載のグランドピアノ用譜面台において、
前記譜面載置部は、前記譜面載置部の下端に設けられ、かつ弾性材料により構成される第２弾性部材を有しているグランドピアノ用譜面台。
【請求項８】
請求項１〜７いずれか一項に記載のグランドピアノ用譜面台において、
前記支持部は、
前記譜面載置部の背面に接続する第１部分と、
前記固定部に接続し、かつ前記譜面載置部の下辺に平行な軸を回転軸として回動可能となるように前記第１部分に接続されている第２部分と、
により構成されているグランドピアノ用譜面台。
【請求項９】
請求項８に記載のグランドピアノ用譜面台において、
前記第１部分には、前記第１部分の延在方向に平行な第１溝部が形成されており、
前記第２部分は、前記第１溝部に沿って移動可能であるグランドピアノ用譜面台。
【請求項１０】
請求項８または９に記載のグランドピアノ用譜面台において、
前記第２部分には、前記第２部分の延在方向に平行な第２溝部が形成されており、
前記第１部分は、前記第２溝部に沿って移動可能であるグランドピアノ用譜面台。
【請求項１１】
請求項１〜１０いずれか一項に記載のグランドピアノ用譜面台において、
前記譜面載置部の背面には、突出部が設けられており、
前記支持部は、前記譜面載置部の下辺に平行な軸を回転軸として回動可能となるように、前記突出部に接続されているグランドピアノ用譜面台。
【請求項１２】
請求項１〜１１いずれか一項に記載のグランドピアノ用譜面台において、
前記譜面載置部は、中央部と、蝶番によって折りたたみ可能となるように前記中央部に支持されている側部と、を含むグランドピアノ用譜面台。
【請求項１３】
請求項１〜１２いずれか一項に記載のグランドピアノ用譜面台において、
前記譜面載置部は、正面から背面を貫通する孔部を有するグランドピアノ用譜面台。
【発明の詳細な説明】
【技術分野】
【０００１】
本発明は、グランドピアノ用譜面台に関する。
【背景技術】
【０００２】
グランドピアノに関する技術については様々な検討がなされており、たとえば特許文献１に記載のものが挙げられる。特許文献１に記載の技術は、前框の上端部に切欠を形成することにより、前框と譜面台機構との間にピアノ本体の内部と外部を連通する連通路を形成するというものである。
また、譜面台に関する技術としては、特許文献２に記載のものが挙げられる。特許文献２には、吸盤装置を用いて譜面載置枠を被吸着面に貼り付ける譜面台が記載されている。
【先行技術文献】
【特許文献】
【０００３】
【特許文献１】特開平１０−４９１３８号公報
【特許文献２】特開２００８−１５２２４２号公報
【発明の概要】
【発明が解決しようとする課題】
【０００４】
グランドピアノから演奏者へ到達する演奏音には、大屋根等に反射した後に演奏者へ到達する反射音と、演奏者に直接到達する直接音と、が含まれる。しかしながら、グランドピアノに備え付けられた譜面台機構により、直接音の到達が妨げられるおそれがあった。
【課題を解決するための手段】
【０００５】
本発明によれば、
グランドピアノの前框上に配置される譜面載置部と、
前記譜面載置部の背面から延在する支持部と、
前記支持部の先端に設けられ、かつ前記支持部を前記グランドピアノ内に位置するフレームに固定する固定部と、
を備えるグランドピアノ用譜面台が提供される。
【発明の効果】
【０００６】
本発明によれば、グランドピアノの直接音を効率的に演奏者へ到達させることができる。
【図面の簡単な説明】
【０００７】
【図１】本実施形態に係るグランドピアノ用譜面台の背面側を示す斜視図である。
【図２】図１に示すグランドピアノ用譜面台の正面側を示す斜視図である。
【図３】図１に示すグランドピアノ用譜面台を示す背面図である。
【図４】図１に示すグランドピアノ用譜面台を示す側面図である。
【図５】図１に示すグランドピアノ用譜面台の固定部を示す拡大図である。
【図６】図１に示すグランドピアノ用譜面台の譜面受けを示す拡大図である。
【図７】図１に示すグランドピアノ用譜面台の、第１部分と第２部分の接続部を示す拡大図である。
【図８】図１に示すグランドピアノ用譜面台の、譜面載置部と支持部の接続部を示す拡大図である。
【図９】本実施形態のグランドピアノ用譜面台の変形例を示す斜視図である。
【図１０】図９に示すグランドピアノ用譜面台の固定部を示す拡大図である。
【図１１】図９に示すグランドピアノ用譜面台の固定部を示す拡大図である。
【図１２】図９に示すグランドピアノ用譜面台の固定部を示す拡大図である。
【発明を実施するための形態】
【０００８】
以下、実施の形態について、図面を用いて説明する。尚、すべての図面において、同様な構成要素には同様の符号を付し、適宜説明を省略する。
【０００９】
（第１の実施形態）
図１は、本実施形態に係るグランドピアノ用譜面台１０の背面側を示す斜視図である。図２は、図１に示すグランドピアノ用譜面台１０の正面側を示す斜視図である。また、図３は図１に示すグランドピアノ用譜面台１０の背面図を、図４は図１に示すグランドピアノ用譜面台１０の側面図を、それぞれ示している。
【００１０】
本実施形態に係るグランドピアノ用譜面台１０は、譜面載置部１２と、支持部１４と、固定部１６と、を備えている。譜面載置部１２は、グランドピアノ２０の前框２２上に配置される。支持部１４は、譜面載置部１２の背面から延在している。固定部１６は、支持部１４の先端に設けられ、かつ支持部１４をグランドピアノ２０内に位置するフレーム２４に固定する。
【００１１】
グランドピアノに備え付けられた譜面台機構は、譜面台と、譜面台の左右や前方、後方等に設けられ、かつ譜面台を支持する天板と、を一般的に含む。しかしながら、譜面台や天板を含む備え付けの譜面台機構によりグランドピアノの前方が覆われる場合、グランドピアノの直接音の演奏者への到達が妨げられるおそれがあった。
本実施形態に係るグランドピアノ用譜面台１０によれば、譜面載置部１２は、譜面載置部１２の背面から延在する支持部１４の先端に設けられた固定部１６によって、グランドピアノ２０のフレーム２４に固定される。この場合、譜面載置部１２を支持するための天板が不要となる。すなわち、グランドピアノ２０から放射される演奏音が、譜面台機構の天板により妨げられることを抑制することが可能となる。したがって、グランドピアノの直接音を効率的に演奏者へ到達させることができる。
【００１２】
以下、本実施形態に係るグランドピアノ用譜面台１０の構成について詳細に説明する。
【００１３】
本実施形態に係るグランドピアノ用譜面台１０は、グランドピアノ２０に対して設置可能な譜面台である。グランドピアノ用譜面台１０を設置することが可能なグランドピアノ２０としては、特に限定されないが、たとえばコンサート用グランドピアノが挙げられる。
グランドピアノ用譜面台１０は、たとえば譜面台や天板等により構成されるグランドピアノ２０に備え付けられた譜面台機構を取り外した状態において、グランドピアノ２０に対して設置される。このため、グランドピアノ２０から放射される演奏音が、備え付けの譜面台機構を構成する天板により妨げられることを抑制することが可能となる。
【００１４】
図１および図２に例示されるグランドピアノ２０において、グランドピアノ２０内部は、前方に設けられた前框２２と、側方から後方に設けられた側板２６と、により囲まれている。グランドピアノ２０の内部には、フレーム２４および響板（図示せず）等が設けられている。また、前框２２の前方には、鍵盤２９０と鍵盤蓋２９２が設けられている。
グランドピアノ２０は、グランドピアノ２０の内部を覆い、かつ開閉可能となるように設けられた屋根２８を備えている。屋根２８は、グランドピアノ２０の内部のうちの前方側部分を覆う前屋根２８０と、他の部分を覆う大屋根２８２と、により構成される。前屋根２８０は、後方側に折りたたみ可能となるように大屋根２８２に支持されている。
【００１５】
グランドピアノ用譜面台１０は、グランドピアノ２０の前框２２上に配置される譜面載置部１２を備えている。譜面載置部１２の正面側には、譜面が載置される。譜面載置部１２を構成する材料としては、とくに限定されないが、たとえばＡｌもしくはＴｉ等の金属材料、炭素材料、または木材を用いることができる。
譜面載置部１２は、たとえば平板状の形状を有している。これにより、グランドピアノ用譜面台１０を軽量化することが容易となる。また、譜面載置部１２の平面形状は、たとえばその下辺が直線状となるように設計される。これにより、譜面載置部１２を、前框２２上に安定的に配置することが可能となる。ここで、譜面載置部１２の平面形状とは、譜面載置部１２平面の法線方向から見た平面視における平面形状をさす。図３においては、譜面載置部１２の平面形状が矩形である場合が例示されている。
【００１６】
譜面載置部１２は、たとえば譜面受け１２０を有する。譜面受け１２０は、譜面載置部１２の正面側に突出するように設けられ、上面において譜面を保持する機能を有する。
図４においては、譜面載置部１２の下端に譜面受け１２０が形成される場合が例示される。ここでは、譜面載置部１２の正面側へ屈曲させた譜面載置部１２の下端部を、たとえば譜面受け１２０とすることができる。
【００１７】
譜面載置部１２は、譜面載置部１２の下端に設けられ、かつ弾性材料により構成される弾性部材１２２を有している。これにより、前框２２表面に傷が付くことを抑制することができる。弾性部材１２２を構成する弾性材料としては、たとえばブチルゴム等のゴム材料、または樹脂材料が挙げられる。これらを用いることにより、譜面載置部１２と前框２２との間における摩擦を大きくし、譜面載置部１２を前框２２上へ配置する際に譜面載置部１２が横滑りしてしまうことを効果的に抑制できる。
図６は、図１に示すグランドピアノ用譜面台１０の譜面受け１２０を示す拡大図であり、図４における丸で囲まれた領域の拡大図が示されている。図６においては、譜面載置部１２の下端に設けられた譜面受け１２０の下面に弾性部材１２２が貼り付けられる場合が例示されている。この場合、弾性部材１２２の面積を大きくし、譜面載置部１２をより安定的に前框２２上へ配置することが可能となる。
【００１８】
譜面載置部１２は、たとえば中央部１２４と、蝶番によって折りたたみ可能となるように中央部１２４に支持されている側部１２６と、を含むことができる。図１においては、中央部１２４の両側方に側部１２６が設けられる場合が例示されている。
これにより、たとえば譜面載置部１２を使用せず保管または搬送する際には、側部１２６を折りたたんでグランドピアノ用譜面台１０のサイズを小さくすることができる。一方で、グランドピアノ２０の演奏時等、譜面載置部１２を使用する際には、側部１２６を折りたたまずに開くことにより大きいサイズの譜面を安定的に載置することができる。
【００１９】
譜面載置部１２は、たとえば正面から背面を貫通する孔部４０を有することができる。これにより、譜面載置部１２の軽量化を図ることができる。また、グランドピアノ２０から放射される演奏音が孔部４０を通過することができることから、グランドピアノ２０の直接音をより効果的に演奏者へ到達させることも可能となる。本実施形態においては、たとえば平板状である譜面載置部１２を厚み方向に貫通するように孔部４０が形成される。
図１に示す例において、孔部４０は、たとえば複数設けられている。この場合、譜面載置部１２と支持部１４の接続部分を挟んでその両側に位置する二つの孔部４０の間隔は、他の領域に位置する二つの孔部４０の間隔よりも大きいことが好ましい。これにより、譜面載置部１２と支持部１４との接続部分における強度を向上させることができる。
【００２０】
譜面載置部１２の左右方向における長さは、とくに限定されないが、たとえば前框２２の長さよりも短いことが好ましい。これにより、譜面載置部１２を前框２２上へ配置した際に、グランドピアノ２０の内部は、譜面載置部１２の左右において演奏者側へ解放されることとなる。このため、グランドピアノ２０の直接音をさらに効率的に演奏者へ到達させることができる。譜面載置部１２が中央部１２４と側部１２６を有する場合には、側部１２６を折りたたまずに開いた状態において、譜面載置部１２の左右方向における長さが前框２２の長さよりも短いことが好ましい。なお、譜面載置部１２の左右方向とは、直線状である譜面載置部１２の下辺と平行な方向である。
【００２１】
グランドピアノ用譜面台１０は、譜面載置部１２の背面から延在する支持部１４を備えている。支持部１４は、たとえば直線状である譜面載置部１２の下辺を法線方向とする平面内において延在するように設けられる。
支持部１４を構成する材料としては、とくに限定されないが、たとえばＡｌもしくはＴｉ等の金属材料、炭素材料、または木材を用いることができる。
【００２２】
支持部１４は、たとえば第１部分１４０と、第２部分１４２と、により構成されることができる。第１部分１４０は、譜面載置部１２の背面に接続する。第２部分１４２は、固定部１６に接続し、かつ直線状である譜面載置部１２の下辺に平行な軸を回転軸として回動可能となるように第１部分１４０に接続される。この場合、第１部分１４０に対する第２部分１４２の傾きを調整することが可能となる。すなわち、グランドピアノ２０の種類や大きさによって、譜面載置部１２と固定部１６との位置関係を調整することができる。したがって、グランドピアノ用譜面台１０を、固定部１６を用いてより安定的にフレーム２４に固定することが可能となる。
図１に示す例において、第１部分１４０は、たとえば一方向に延在するように設けられる。この場合、第１部分１４０の一端が、たとえば譜面載置部１２の背面に接続される。また、第２部分１４２は、たとえば一方向に延在するように設けられる。この場合、第２部分１４２の一端が、たとえば固定部１６に接続される。
【００２３】
図７は、図１に示すグランドピアノ用譜面台１０の、第１部分１４０と第２部分１４２の接続部３０を示す拡大図である。第１部分１４０と第２部分１４２の接続部３０は、たとえばそれぞれに形成された開口部を貫通するボルトと、これを固定するナットと、により構成される締結具を含む。この場合、ナットを緩めることにより第２部分１４２が回動可能となり、第１部分１４０に対する第２部分１４２の傾きを調整することが可能となる。
【００２４】
第１部分１４０には、第１部分１４０の延在方向に平行な溝部１８０が形成されていてもよい。この場合、第１部分１４０と第２部分１４２との接続部３０を、溝部１８０に沿ってスライドさせることができる。このため、第２部分１４２は、溝部１８０に沿って移動可能となる。これにより、譜面載置部１２の傾きや、譜面載置部１２と固定部１６との位置関係を、より細かに調整することが可能となる。
溝部１８０は、たとえば直線状である譜面載置部１２の下辺と平行な方向に第１部分１４０を貫通する開口部により構成される。接続部３０がボルトとナットにより構成される締結具を含む場合、当該ボルトは、たとえば溝部１８０を貫通するように設けられる。このとき、ボルトとナットにより構成される締結具を溝部１８０に沿ってスライドさせることにより、第２部分１４２を移動させることができる。
【００２５】
第２部分１４２には、第２部分１４２の延在方向に平行な溝部１８２が形成されていてもよい。この場合、第１部分１４０と第２部分１４２との接続部３０を、溝部１８２に沿ってスライドさせることができる。このため、第１部分１４０は、溝部１８２に沿って移動可能となる。これにより、譜面載置部１２の傾きや、譜面載置部１２と固定部１６との位置関係を、より細かに調整することが可能となる。
溝部１８２は、たとえば直線状である譜面載置部１２の下辺と平行な方向に第２部分１４２を貫通する開口部により構成される。接続部３０がボルトとナットにより構成される締結具を含む場合、当該ボルトは、たとえば溝部１８２を貫通するように設けられる。このとき、ボルトとナットにより構成される締結具を溝部１８２に沿ってスライドさせることにより、第１部分１４０を移動させることができる。
【００２６】
図１においては、第１部分１４０に溝部１８０が、第２部分１４２に溝部１８２が、それぞれ設けられる場合が例示されている。この場合、第２部分１４２は溝部１８０に沿って、第１部分１４０は溝部１８２に沿って、それぞれ移動可能となる。
【００２７】
譜面載置部１２の背面には、たとえば突出部１２８が設けられている。支持部１４は、直線状である譜面載置部１２の下辺に平行な軸を回転軸として回動可能となるように、突出部１２８に接続される。この場合、譜面載置部１２に対する支持部１４の傾きを調整することが可能となる。すなわち、グランドピアノ２０の種類や大きさ、演奏者の身長等に合わせて、譜面載置部１２の傾きを調整することができる。このため、より快適な演奏を行うことが可能なグランドピアノ用譜面台１０が実現されることとなる。
図１に示す例においては、支持部１４を構成する第１部分１４０の一端が、突出部１２８に接続される。この場合、譜面載置部１２に対する第１部分１４０の傾き、第１部分１４０に対する第２部分１４２の傾きを同時に調整することが可能となる。
【００２８】
図８は、図１に示すグランドピアノ用譜面台１０の、譜面載置部１２と支持部１４の接続部３２を示す拡大図である。図８に示すように、突出部１２８には、支持部１４が回動する軸の周囲に位置する溝部１８４が設けられていてもよい。この場合、たとえば支持部１４に設けられた開口部と溝部１８４を貫通するボルトと、これを固定するナットと、により構成される締結具によって、突出部１２８に対する支持部１４の回動を固定することができる。このため、譜面載置部１２の傾きを安定的に固定することが可能となる。
【００２９】
グランドピアノ用譜面台１０は、支持部１４の先端に設けられた固定部１６を備えている。固定部１６は、フレーム２４へ当接し、支持部１４をグランドピアノ２０内に位置するフレーム２４に固定する機能を有している。これにより、グランドピアノ用譜面台１０を、グランドピアノ２０へ安定的に固定することができる。図１においては、譜面載置部１２を前框２２上へ配置し、かつ固定部１６をフレーム２４へ当接させることにより、グランドピアノ用譜面台１０をグランドピアノ２０へ設置する場合が例示されている。
本実施形態における固定部１６は、たとえばフレーム２４のうちの互いに異なる二つの面に対して当接する。これにより、支持部１４をフレーム２４に、より安定的に固定することができる。この場合、固定部１６は、フレーム２４のうちの少なくとも二つの面に対して当接していればよく、たとえば二つ以上の面に対して当接するように設けられていてもよい。
また、固定部１６は、支持部１４と一体として設けられていてもよく、支持部１４に対して取り付けおよび取り外しが可能なアタッチメント部材であってもよい。固定部１６を構成する材料としては、とくに限定されないが、たとえばＡｌもしくはＴｉ等の金属材料、炭素材料、または木材を用いることができる。
【００３０】
図１においては、グランドピアノ２０の左右方向、すなわち前框２２に略平行な方向に延在するフレーム２４に対して固定部１６が当接される場合が例示されている。本実施形態においては、図１に示すものに限られず、たとえばグランドピアノ２０の前後方向に延在するフレーム２４に対して固定部１６を当接してもよい。
本実施形態においては、たとえばフレーム２４のうち、グランドピアノ２０の屋根２８を閉めた状態において前屋根２８０により覆われる領域に位置する部分に対して、固定部１６が当接される。すなわち、前框２２上に配置される譜面載置部１２と、固定部１６と、の間の距離を短くすることができる。このため、グランドピアノ用譜面台１０の小型化を図ることが可能となる。
【００３１】
図５は、図１に示すグランドピアノ用譜面台１０の固定部１６を示す拡大図である。
本実施形態において、固定部１６は、たとえばＬ字型またはＵ字型に屈曲した屈曲部１６０を有しており、かつ屈曲部１６０の内面においてフレーム２４と当接する。これにより、簡易な加工で固定部１６を形成しつつ、支持部１４をフレーム２４に固定することが可能となる。ここで、Ｌ字型に屈曲とは、直角に屈曲する場合に限られず、Ｌ字型の内角が鈍角または鋭角となるように屈曲する場合や湾曲させる場合を含む。また、Ｕ字型に屈曲とは、直角、鋭角または鈍角に折り曲がった二箇所の屈曲部分を有するように屈曲する場合や、Ｕ字型に湾曲させる場合を含む。
屈曲部１６０がＬ字型に屈曲している場合、固定部１６は、たとえばフレーム２４のうちの上面と一側面に対して当接する。このとき、固定部１６を回動させることにより、フレーム２４のいずれの側面に対して固定部１６を当接させるか、を任意に選択することができる。図１においては、フレーム２４のうちの上面と、前框２２に対向する一側面と、に対して固定部１６が当接する場合が例示されている。また、屈曲部１６０がＵ字型に屈曲している場合、固定部１６は、たとえばフレーム２４のうちの上面と、当該上面を挟む二側面と、に対して当接する。
【００３２】
本実施形態においては、譜面載置部１２を安定的に固定する観点から、固定部１６の屈曲部１６０がフレーム２４に対して係合していることが特に好ましい。図５においては、固定部１６がＬ字型に屈曲した屈曲部１６０を有する場合が例示されている。この場合、図１に示すように、たとえばフレーム２４の上端部に位置する角部に対して屈曲部１６０を係合することができる。一方で、固定部１６がＵ字型に屈曲した屈曲部１６０を有する場合には、たとえばフレーム２４の上端部を屈曲部１６０の内面側に嵌め込むことにより、屈曲部１６０をフレーム２４に対して係合させることができる。
【００３３】
固定部１６は、たとえば屈曲加工が施された板状部材により構成することができる。この場合、固定部１６のうち屈曲させた一端部を支持部１４と接続する接続部３４とし、Ｌ字型またはＵ字型に屈曲させた他端部を屈曲部１６０とすることができる。なお、固定部１６の形状は、これに限定されず、種々の形状とすることができる。
【００３４】
固定部１６は、屈曲部１６０の内面に設けられ、かつ弾性材料により構成される弾性部材１６２を有している。これにより、フレーム２４の表面に傷が付くことを抑制することができる。弾性部材１６２を構成する弾性材料としては、たとえばブチルゴム等のゴム材料、または樹脂材料が挙げられる。これらを用いることにより、固定部１６とフレーム２４との間における摩擦を大きくし、固定部１６をフレーム２４に対して当接する際に固定部１６が横滑りしてしまうことを効果的に抑制できる。
図５に示す例においては、Ｌ字型の屈曲部１６０の内面に、屈曲部分を挟むように二つの弾性部材１６２が貼り付けられている。この場合、譜面載置部１２を、より安定的に固定することが可能となる。
【００３５】
なお、固定部１６を用いて支持部１４をフレーム２４へ固定する方法は、上記に限定されない。たとえば固定部１６を互いに接続された二つの部材により構成し、これら二つの部材によりフレーム２４を挟み込むように固定部１６をフレーム２４へ固定することも可能である。この場合、固定部１６は、フレーム２４の上面を挟む二つの側面に対して当接することとなる。また、固定部１６には、支持部１４に接続する一端部と反対側の他端部において、内側に窪んだ凹部が設けられていてもよい。この場合、固定部１６に設けられた当該凹部内にフレーム２４の上端部を嵌め込むように、固定部１６をフレーム２４へ当接させることにより、支持部１４をフレーム２４へ固定することが可能となる。上記凹部の形状は、とくに限定されないが、たとえばＶ字状またはＵ字状とすることができる。
【００３６】
固定部１６は、たとえば支持部１４の先端部分における延在軸を回転軸として回動可能となるように設けられている。この場合、フレーム２４の形状に合わせて固定部１６を回動させることにより、支持部１４をフレーム２４に対してより安定的に固定させることができる。このため、グランドピアノ用譜面台１０を、種々のグランドピアノ２０に対して安定的に使用することが可能となる。本実施形態においては、たとえば支持部１４を構成する第２部分１４２に対して回動可能となるように固定部１６が設けられる。
図５においては、支持部１４と固定部１６の接続部３４は、たとえばそれぞれに形成された開口部を貫通するボルトと、これを固定するナットと、により構成される締結具を含む。この場合には、ナットを緩めることにより固定部１６が回動可能となる。
【００３７】
図９は、本実施形態のグランドピアノ用譜面台１０の変形例を示す斜視図であり、グランドピアノ用譜面台１０の背面側を示している。本変形例に係るグランドピアノ用譜面台１０は、固定部１６に代えて固定部１７を備えている。本変形例では、グランドピアノ２０の前後方向、すなわち前框２２に対して略直交する方向に延在する二つのフレーム２４に対して固定部１７が当接される場合が例示される。これにより、前後方向に延在するフレーム２４を用いて、グランドピアノ用譜面台１０を安定的に固定することができる。
【００３８】
図１０〜図１２は、図９に示す固定部１７を示す拡大図である。図１０はグランドピアノ用譜面台１０の背面側からみた固定部１７の構成を、図１１はグランドピアノ用譜面台１０の側方側からみた固定部１７の構成を、図１２はグランドピアノ用譜面台１０の上方側からみた固定部１７の構成を、それぞれ示している。
図９に示す固定部１７は、たとえばフレーム２４に当接される二つの当接部材１７０と、二つの当接部材１７０を支持部１４に固定する固定部材１７２と、を有することができる。この場合、各当接部材１７０は、それぞれ異なるフレーム２４に対して当接する。これにより、より安定的に支持部１４をフレーム２４へ固定することができる。
【００３９】
図１０に示すように、当接部材１７０には、たとえば固定部材１７２に接続する一端部とは反対の他端部において、内側に窪んだ凹部１７４が設けられている。この場合、凹部１７４の内面をフレーム２４へ当接させることにより支持部１４をフレーム２４へ固定することができる。このような構成の一例としては、凹部１７４内にフレーム２４の上端部を嵌め込む場合が挙げられる。また、凹部１７４の内面を、フレーム２４のうちの互いに異なる二つの面、たとえばフレーム２４の上面と側面に対して当接させる場合も挙げられる。凹部１７４の形状は、とくに限定されないが、たとえばＶ字状またはＵ字状である。
【００４０】
図１１に示すように、各当接部材１７０は、たとえば凹部１７４が設けられた第１部分１７０１と、第１部分１７０１を固定部材１７２へ固定する第２部分１７０２と、により構成される。このとき、第２部分１７０２には、たとえば第２部分１７０２の延在方向に平行な溝部１７６を設けることができる。この場合、第１部分１７０１と第２部分１７０２との接続部を、溝部１７６に沿ってスライドさせることができる。これにより、当接部材１７０全体の長さを調整することが可能となる。本実施形態においては、各当接部材１７０の長さをそれぞれ独立して調整することができる。このため、一方の当接部材１７０が当接するフレーム２４と、他方の当接部材１７０が当接するフレーム２４と、の高さが互いに異なる場合であっても、固定部１７によりグランドピアノ用譜面台１０を安定的に固定することが可能となる。
また、当接部材１７０は、当接部材１７０の延在方向を回転軸として回動可能となるように固定部材１７２に接続されていてもよい。これにより、フレーム２４の形状に合わせて当接部材１７０の向きを調整し、グランドピアノ用譜面台１０をより安定的に固定することができる。
【００４１】
固定部材１７２は、たとえば支持部１４の延在方向に対して直交する方向に延在するように設けられる。図９においては、固定部材１７２が、譜面載置部１２の下辺に平行な方向に延在するように、支持部１４により固定される場合が例示されている。なお、固定部材１７２は、支持部１４の延在方向を回転軸として回動可能となるように支持部１４に接続されていてもよい。これにより、フレーム２４の形状に合わせて固定部材１７２の向きを調整し、グランドピアノ用譜面台１０をより安定的に固定することができる。
図１２に示すように、固定部材１７２には、たとえば固定部材１７２の延在方向に平行な溝部１７８を設けることができる。この場合、各当接部材１７０と固定部材１７２との接続部、および固定部材１７２と支持部１４との接続部を、それぞれ溝部１７８に沿ってスライドさせることができる。これにより、フレーム２４の配置に合わせて各当接部材１７０の位置を調整し、グランドピアノ用譜面台１０をより安定的に固定することができる。
【００４２】
なお、固定部１７は、支持部１４と一体として設けられていてもよく、支持部１４に対して取り付けおよび取り外しが可能なアタッチメント部材であってもよい。固定部１６と固定部１７がともにアタッチメント部材である場合には、固定部１６と固定部１７は、たとえば相互に交換可能となるように設けることができる。
【００４３】
グランドピアノ用譜面台１０の製造方法は、とくに限定されない。本実施形態においては、たとえば譜面載置部１２と、支持部１４と、固定部１６と、をそれぞれ作製した後、これらを種々の締結具を用いて互いに接続させることによりグランドピアノ用譜面台１０を得ることが可能である。
【００４４】
本実施形態に係るグランドピアノ用譜面台１０においては、譜面載置部１２に対する支持部１４の傾きと、第１部分１４０に対する第２部分１４２の傾きと、支持部１４に対する固定部１６の傾きと、をそれぞれ調整することにより、譜面載置部１２の前框２２に対する傾きや固定部１６のフレーム２４に対する傾き、譜面載置部１２と固定部１６の間の距離等を適宜調整することができる。
【００４５】
次に、本実施形態の効果を説明する。
本実施形態に係るグランドピアノ用譜面台１０によれば、譜面載置部１２は、譜面載置部１２の背面から延在する支持部１４の先端に設けられた固定部１６によって、グランドピアノ２０内に位置するフレーム２４に固定される。この場合、譜面載置部１２を支持するための天板が不要となる。すなわち、グランドピアノ２０から放射される演奏音が、譜面台機構の天板により妨げられることを抑制することが可能となる。したがって、グランドピアノの直接音を効率的に演奏者へ到達させることができる。
【００４６】
また、グランドピアノ用譜面台１０の固定部１６は、譜面載置部１２の背面から延在する支持部１４の先端に設けられている。このため、グランドピアノ２０内部のうちグランドピアノ用譜面台１０の左右に位置する部分は、グランドピアノ用譜面台１０により覆われずに演奏者側へ解放されることとなる。本実施形態によれば、このような観点からも、グランドピアノの直接音を効率的に演奏者へ到達させることが可能となる。
本実施形態に係るグランドピアノ用譜面台を用いてグランドピアノ（スタインウェイ＆サンズ社製、Ｄ−２７４）によりショパンのノクターンを演奏した実験例においては、譜面台および天板を含む備え付けの譜面台機構を使用した場合と比較して、グランドピアノ内部からの直接音、とくに低音がより効率的に演奏者へ到達したことが示された。
【００４７】
さらに、グランドピアノ用譜面台１０は、固定部１６によりグランドピアノ２０の内部に位置するフレーム２４に固定される。このため、フレーム２４を有するグランドピアノ２０であれば、グランドピアノ用譜面台１０を固定することが可能となる。したがって、種々のグランドピアノに適用可能なグランドピアノ用譜面台１０を提供することができる。
【符号の説明】
【００４８】
１０  グランドピアノ用譜面台
１２  譜面載置部
１２０  譜面受け
１２２、１６２  弾性部材
１２４  中央部
１２６  側部
１２８  突出部
１４  支持部
１４０  第１部分
１４２  第２部分
１６、１７  固定部
１６０  屈曲部
１７０  当接部材
１７０１  第１部分
１７０２  第２部分
１７２  固定部材
１７４  凹部
１７６、１７８  溝部
１８０、１８２、１８４  溝部
２０  グランドピアノ
２２  前框
２４  フレーム
２６  側板
２８  屋根
２８０  前屋根
２８２  大屋根
２９０  鍵盤
２９２  鍵盤蓋
３０、３２、３４  接続部
４０  孔部
【図１】
2015036751.tif 000003
【図２】
2015036751.tif 000004
【図３】
2015036751.tif 000005
【図４】
2015036751.tif 000006
【図５】
2015036751.tif 000007
【図６】
2015036751.tif 000008
【図７】
2015036751.tif 000009
【図８】
2015036751.tif 000010
【図９】
2015036751.tif 000011
【図１０】
2015036751.tif 000012
【図１１】
2015036751.tif 000013
【図１２】
2015036751.tif 000014